(57)【要約】【課題】電磁コイル装置の作業の安定性と信頼性を保障することができる電磁コイル装置を提供する。【解決手段】本発明に係る電磁コイル装置は、配線端子部と前記配線端子部を通り抜けるピンを含み、ピンは、上部コイルステーターと接続される第一組のピンと、下部コイルステーターと接続される第二組のピンとに分けられる。第一組のピンと第二組のピンは、間隔を置いて設置され、第一組のピンは、第一先端部を有する第一外段と、第一末端部を有する第一内段をと含み、第二組のピンは、第二先端部を有する第二外段と、第二末端部を有する第二内段とを含む。ここで、第一組のピンおよび前記第二組ピンのうち、少なくとも一組が屈曲しており、隣接する第一先端部と第二先端部との間隔は、隣接する第一末端部と第二末端部との間隔より大きい。【選択図】図３
2010279244.tif 000002
【特許請求の範囲】
【請求項１】
配線端子部と、前記配線端子部を通り抜けるピンとを含み、
前記ピンは、上コイルステーターに接続される第一組のピンと、下コイルステーターに接続される第二組のピンとに分けられ、
前記第一組のピンと前記第二組のピンは、間隔を置いて設置され、
前記第一組のピンは、第一先端部を有する第一外段と、第一末端部を有する第一内段とを含み、
前記第二組のピンは、第二先端部を有する第二外段と、第二末端部を有する第二内段とを含み、
前記第一先端部と前記第二先端部は、前記配線端子部のピン引き出し面から通り抜けて突出する電磁コイル装置であって、
前記第一組のピンおよび前記第二組ピンのうち、少なくとも一組が屈曲しており、隣接する前記第一先端部と前記第二先端部の間隔は、隣接する前記第一末端部と前記第二末端部の間隔より大きいことを特徴とする、電磁コイル装置。
【請求項２】
前記第一組のピンと前記第二組のピンは、いずれも上向きに屈曲しており、
前記第一外段は、前記第一内段と略直交し、前記第二外段は、前記第二内段と略直交しており、
前記第一外段の中心線のある平面と、前記第二外段の中心線のある平面とは、互いに略平行であって、且つ適当な水平方向の間隔を有することを特徴とする、請求項１に記載の電磁コイル装置。
【請求項３】
前記ピン引き出し面は、斜面であり、前記第一先端部及び前記第二先端部は、前記斜面と適当な鋭角をなすことを特徴とする、請求項２に記載の電磁コイル装置。
【請求項４】
前記ピン引き出し面は、上ステップ面と、前記上ステップ面と略平行である下ステップ面とを有し、
前記第一先端部は、前記上ステップ面と略直交し、前記第二先端部は、前記下ステップ面と略直交することを特徴とする、請求項２に記載の電磁コイル装置。
【請求項５】
各前記ピンのサイズは、同じであり、且つ隣接する前記第一内段と前記第二内段との間隔は、同じであるとともに、同一の水平面内に位置し、
前記水平方向の間隔は、隣接する前記第一内段と前記第二内段の間隔の４√（３／２）倍より小さいことを特徴とする、請求項４に記載の電磁コイル装置。
【請求項６】
前記水平方向の間隔は、隣接する前記第一内段と前記第二内段との間隔の√（３／２）倍に等しいことを特徴とする、請求項５に記載の電磁コイル装置。
【請求項７】
前記ピン引き出し面は、斜面であり、前記第一組のピンと前記第二組のピンは、いずれも上向きに屈曲しており、
前記第一内段と前記第一先端部の間に位置する第一腰部は、前記第一内段と略直交し、前記第一先端部と前記第一腰部は、適当な夾角をなし、
前記第二内段と前記第二先端部の間に位置する第二腰部は、前記第二内段と略直交し、前記第二先端部と前記第二腰部は、適当な夾角をなし、
前記第一先端部及び前記第二先端部は、前記斜面と略直交することを特徴とする、請求項１に記載の電磁コイル装置。
【請求項８】
前記第一組のピンと前記第二組のピンのうち、一組が上向きに屈曲しており、その他の一組は下向きに屈曲しており、
前記第一外段の中心線のある平面と、前記第二外段の中心線のある平面とは、略平行であって、且つ適切な鉛直方向の間隔を有し、
前記第一先端部及び前記第二先端部は、前記ピン引き出し面と略直交することを特徴とする、請求項１に記載の電磁コイル装置。
【請求項９】
各前記ピンのサイズは、同じであり、且つ隣接する前記第一末端部と前記第二末端部との間隔は、同じであるとともに、同一の水平面内に位置し、
前記鉛直方向の間隔は、隣接する前記第一末端部と前記第二末端部との間隔の４√３倍より小さいことを特徴とする、請求項８に記載の電磁コイル装置。
【請求項１０】
前記鉛直方向の間隔は、隣接する前記第一末端部と前記第二末端部との間隔の√３倍に等しいことを特徴とする、請求項９に記載の電磁コイル装置。
【請求項１１】
前記第一先端部と前記第二先端部は、電気回路基板によりケーブルリードと接続し、
前記配線端子部は、前記ケーブルリードを収容するための線状溝を有することを特徴とする、請求項１〜１０のいずれかに記載の電磁コイル装置。
【請求項１２】
前記電気回路基板は、それぞれ前記ピンの数と等しいピン孔と、ラインコア孔とを有し、
前記ピン孔と前記ラインコア孔は、ペアで近接設置され、導電性材料により連接され、
前記第一先端部と前記第二先端部は、前記ピン孔から突出し、前記ケーブルリードの先端部は、前記ラインコア孔から突出し、
前記第一先端部と前記第二先端部は、溶接材料により前記ケーブルリードの先端部と溶接されることを特徴とする、請求項１１に記載の電磁コイル装置。
【請求項１３】
前記ピン孔と前記ラインコア孔の中心間隔は、前記ピン孔の直径と前記ラインコア孔の直径の和の０．５倍より大きく、且つ前記ピン孔の直径と前記ラインコア孔の直径の和の５倍より小さいことを特徴とする、請求項１２に記載の電磁コイル装置。
【請求項１４】
前記電磁コイル装置は、突起した位置決め部を有するカバーを更に含み、
前記配線端子部は、前記突起した位置決め部と嵌合する位置決め溝を有し、
前記突起した位置決め部と前記位置決め溝は、嵌合し、樹脂材料により密封されることを特徴とする、請求項１〜１０のいずれかに記載の電磁コイル装置。
【請求項１５】
前記電磁コイル装置のスケルトンは、上スケルトンと、上スケルトンから分離可能な下スケルトンとを含み、
前記上スケルトンと前記下スケルトンは、構造及びサイズが同じであることを特徴とする、請求項１４に記載の電磁コイル装置。
【発明の詳細な説明】
【技術分野】
【０００１】
本発明は機械電子分野に関し、特に電磁コイル装置に関する。
【背景技術】
【０００２】
電磁コイル装置は、多くの分野に利用することができ、例えばエアコン冷却システムの電子膨張弁のコイルとすることができる。また、電磁コイル装置は、ステッピングモーターのステーター部分とすることも可能であるし、複数の配線端子を有し、且つ配線端子と引出線が溶接の接続方式を採用している電子部品にも応用することができる。その中で、上記電磁コイル装置をエアコン冷却システムの電子膨張弁のコイルとして適用するのは、比較的に典型的な用途である。
【０００３】
図１を参照して、図１は、従来技術における典型的な電磁コイル装置の構造模式図である。
【０００４】
従来技術における電磁コイル装置は、配線端子部１２と、配線端子部１２を通り抜けるピン１１とを含む。ピン１１は、上部コイルステーターと接続する第一組のピンと、下部コイルステーターと接続する第二組のピンとに分けられる。第一組のピンおよび第二組のピンは、間隔を空けて設置される。ピン先端部１１１は、配線端子部１２のピンの引き出し面１２１から通り抜けている。上記電磁コイルのスケルトンは、上スケルトン１３と下スケルトン１４とを有しており、上スケルトン１３および下スケルトン１４の構造は、一体構造である。上記電磁コイルのピン１１は、電気回路基板１６を介してケーブルリード１５と連接する。
【０００５】
電気回路基板１６は、それぞれピン１１の数に等しいピン孔１６２およびラインコア孔１６１を有している。ピン孔１６２とラインコア孔１６１とは、ペアで設置されている。ピン先端部１１１は、ピン孔１６２から突出している。ケーブルリード先端部１５１は、ラインコア孔１６１から延出しており、ピン先端部１１１が、溶接材料を介してケーブルリード先端部１５１と溶接されている。
【０００６】
電磁コイルのピンの間には、比較的に大きな間隔を空ける必要がある。それにより、ピンの溶接点の間における絶縁性を効果的に確保することができるため、電磁コイルの作業の安定性および信頼性を保障することができる。しかし、電磁コイル装置の全体の体積などの要素に制限されるため、各ピンの間隔を有効的に増加させにくい。従って、従来技術における隣接するピン１１の間隔が、比較的に小さくなってしまう。すなわち、隣接するピン先端部１１１の間隔、及び隣接するピン先端部１１１の溶接点の間隔が、比較的に小さくなってしまう。これにより、ピン先端部１１１の溶接点間の絶縁性能が低下し、且つ溶接の作業にも不便である。
【発明の概要】
【発明が解決しようとする課題】
【０００７】
本発明で解決しようとする技術的課題は、電磁コイル装置の構造設計によりピン先端部の溶接点の間の絶縁性能を向上させ、且つ溶接作業をし易くすることによって、前記電磁コイル装置の作業の安定性と信頼性を保障することができる電磁コイル装置を提供することである。
【課題を解決するための手段】
【０００８】
上述の技術的課題を解決するために、本発明では、配線端子部と前記配線端子部を通り抜けるピンを含み、ピンは、上部コイルステーターと接続される第一組のピンと、下部コイルステーターと接続される第二組のピンとに分けられ、第一組のピンと第二組のピンは、間隔を置いて設置され、第一組のピンは、第一先端部を有する第一外段と、第一末端部を有する第一内段をと含み、第二組のピンは、第二先端部を有する第二外段と、第二末端部を有する第二内段とを含み、第一先端部及び前記第二先端部は、配線端子部のピン引き出し面から通り抜けて突出しており、第一組のピンおよび前記第二組ピンのうち、少なくとも一組が屈曲しており、隣接する第一先端部と第二先端部との間隔は、隣接する第一末端部と第二末端部との間隔より大きい、電磁コイル装置を提供する。
【０００９】
第一組のピンと第二組のピンは、いずれも上向きに屈曲しており、第一外段は、第一内段と略直交し、第二外段は、第二内段と略直交しており、第一外段の中心線のある平面と、第二外段の中心線のある平面とは、互いに略平行であって、且つ適当な水平方向の間隔を有することが好ましい。
【００１０】
ピン引き出し面は、斜面であり、第一先端部及び第二先端部は、斜面と適当な鋭角をなす。
【００１１】
ピン引き出し面は、上ステップ面と、上ステップ面と略平行である下ステップ面とを有し、第一先端部は、上ステップ面と略直交し、第二先端部は、下ステップ面と略直交することが好ましい。
【００１２】
各ピンのサイズは、同じであり、且つ隣接する第一内段と第二内段との間隔は、同じであるとともに、同一の水平面内に位置し、水平方向の間隔は、隣接する第一内段と第二内段との間隔の
【００１３】
【数１】
2010279244.tif 000003
【００１４】
倍より小さいことが好ましい。なお、以下の説明においては、［数１］に記載の数式を、
４√（３／２）の形式により表すこととする。
【００１５】
水平間隔は、隣接する第一内段と第二内段の間隔の√（３／２）倍に等しいことが好ましい。
【００１６】
ピン引き出し面は、斜面であり、第一組のピンと第二組のピンは、いずれも上向きに屈曲しており、第一内段と第一先端部の間に位置する第一腰部は、第一内段と略直交し、第一先端部と第一腰部とは、適切な夾角をなし、第二内段と第二先端部の間に位置する第二腰部は、第二内段と略直交し、第二先端部と第二腰部とは適当な夾角をなし、第一先端部と第二先端部は、斜面と略直交することが好ましい。
【００１７】
第一組のピンと第二組のピンのうち、一組が上向きに屈曲しており、その他の一組は下向きに屈曲しており、第一外段の中心線のある平面と、第二外段の中心線のある平面とは、略平行であって、且つ適当な鉛直方向の間隔を有し、第一先端部と第二先端部は、ピン引き出し面と略直交することが好ましい。
【００１８】
各ピンのサイズは、同じであり、且つ隣接する第一末端部と第二末端部との間隔は、同じであるとともに、同一の水平面内に位置し、鉛直方向の間隔は、隣接する第一末端部と第二末端部との間隔の４√３倍より小さいことが好ましい。
【００１９】
鉛直間隔は、隣接する第一末端部と第二末端部との間隔の√３倍に等しいことが好ましい。
【００２０】
第一先端部と第二先端部は、電気回路基板によりケーブルリードと接続され、配線端子部は、ケーブルリードを収容するための線状溝を有することが好ましい。
【００２１】
電気回路基板は、それぞれピンの数と等しいピン孔とラインコア孔を有し、ピン孔とラインコア孔は、ペアで近接設置され、導電性材料により連接され、第一先端部と第二先端部は、ピン孔から突出し、ケーブルリードの先端部は、ラインコア孔から突出し、第一先端部と第二先端部は、溶接材料によりケーブルリードの先端部と溶接されることが好ましい。
【００２２】
ピン孔とラインコア孔の中心間隔は、ピン孔の直径とラインコア孔の直径の和の０．５倍より大きく、且つピン孔の直径とラインコア孔の直径の和の５倍より小さいことが好ましい。
【００２３】
電磁コイル装置は、突起した位置決め部を有するカバーを更に含み、配線端子部は、突起した位置決め部と嵌合する位置決め溝を有する。突起した位置決め部は、位置決め溝と嵌合し、樹脂材料により密封されることが好ましい。
【００２４】
電磁コイル装置のスケルトンは、上スケルトンと、上スケルトンから分離可能な下部スケルトンとを含み、上スケルトンと下部スケルトンは、構造及びサイズが同じである。
【発明の効果】
【００２５】
本発明の提供する電磁コイル装置において、第一組のピンと第二組のピンのうち少なくとも一組が曲がっており、隣接する第一先端部と第二先端部の間隔は、隣接する第一末端部と第二末端部の間隔より大きい。隣接する第一先端部と第二先端部の間隔が大きくなることにより、電磁コイル装置の全体の体積を増やさない状態で、隣接するピン先端部の溶接点の間隔を大きくすることができる。それにより、ピン先端部の溶接点の間の絶縁性能を向上させるとともに、溶接の作業を容易とすることができる。さらに、電磁コイル装置の動作の安定性と信頼性も保障することができる。
【図面の簡単な説明】
【００２６】
【図１】従来技術における典型的な電磁コイル装置の構造模式図である。
【図２】本発明の第一種の実施例で提供する電磁コイル装置の組み立てフローチャートである。
【図３】本発明の第二種の実施例で提供する電磁コイル装置の構造模式図である。
【図４】本発明の第二種の実施例で提供する電磁コイル装置の中の第一組のピンと第二組のピンの相対的位置の模式図である。
【図５】本発明の第二種の実施例で提供する電磁コイル装置の中の第一組のピンと第二組のピンの相対的位置の上面図である。
【図６】本発明の第三種の実施例で提供する電磁コイル装置の構造模式図である。
【図７】本発明の第三種の実施例で提供する電磁コイル装置の断面の模式図である。
【図８】本発明の第四種の実施例で提供する電磁コイル装置の構造模式図である。
【図９】本発明の第二種の実施例で提供する電磁コイル装置のカバーの取付模式図である。
【図１０】本発明の第四種の実施例で提供する電磁コイル装置のカバーの取付模式図である。
【発明を実施するための形態】
【００２７】
本発明の核心は、電磁コイル装置を提供することである。該電磁コイル装置の構造設計によって、ピン先端部の溶接点の間の絶縁性能を向上させるとともに、溶接の作業も容易とし、且つ上記電磁コイル装置の動作の安定性と信頼性も保障することができる。
【００２８】
当業者が本発明の技術案をより理解することを可能とするために、本発明に係る具体的実施例を図面に基づいて詳細に説明する。
【００２９】
図２を参照すると、図２は、本発明の第一種の実施例で提供する電磁コイル装置の組み立てフローチャートである。
【００３０】
本発明の第一種の実施例で提供する電磁コイル装置の組み立てフローチャートは、以下の通りである。
【００３１】
上スケルトン２７１にエナメル線を巻き、上記エナメル線の先端を第一組のピン２１の第一末端部２１２ｂに連接する。これにより、上部コイルステーターが形成される。上記上部コイルステーターは、上電磁極板２８１に取り付けられる。下スケルトン２７２にエナメル線を巻き、上記エナメル線の先端を第二組のピン２２の第二末端部２２２ｂに連接する。これにより、下コイルステーターが形成される。上記下コイルステーターは、下電磁極板２８２に取り付けられる。上電磁極板２８１が取り付けられている上コイルステーターと、下電磁極板２８２が取り付けられている下コイルステーターとは、一体に組み立てられ、電磁コイルステーターを形成する。上記電磁コイルステーターは、上の外殻２９２および下の外殻２９１と一体に組み立てられ、一つのステーター部品を形成する。続いて、ステーター部品のピンを曲げる。最後に、上記のようにピンが曲げられたステーター部品をプラスチック樹脂モールド型に入れて射出成形してモールドし、上記電磁コイル装置の配線端子部２３を形成する。ここで、電磁コイル装置の組み立てが完了する。
【００３２】
上記のようなステーター部品のピンの曲げ方式により、本発明の提供する各種の異なる実施例の電磁コイル装置が得られる。以下の本発明の各種の異なる実施例で提供する電磁コイル装置の組み立てフローチャートは、上記した第一種の実施例で提供する電磁コイル装置の組み立てフローチャートと同様であるため、詳細な説明は省略する。
【００３３】
本発明の第一種の実施例で提供する電磁コイル装置の第一組のピン２１および第二組のピン２２は、いずれも上向きに屈曲しており、第一外段２１１は、第一内段２１２と略直交し、第二外段２２１は、第二内段２２２と略直交する。第一外段２１１の中心線のある平面と、第二外段２２１の中心線のある平面とは、互いに略平行であり、且つ適当な水平方向の間隔を有している。第一先端部２１１ａと第二先端部２２１ａは、上記ピン引き出し面から突出している。配線端子部２３のピン引き出し面は、斜面２３１であり、且つ第一先端部２１１ａ及び第二先端部２２１ａは、斜面２３１と適当な鋭角をなす。
【００３４】
前段落における上記第一組のピン２１と第二組のピン２２とが、いずれも上向きで曲がっているのは、図２に示している位置に放置した電磁コイル装置を参照物としている。
【００３５】
本実施例において、ピンは以下の方法で曲げることができる（ピンが曲げられる前のプロセスは、上述の図２に関する記述を参照することができる）。上記ステーター部品を曲げ金型に放置し、金型に一定の間隔を設けることにより、上記ピンを第一組のピン２１と第二組のピン２２とに分ける。そして、二組のピンの間に適当な間隔を空けて、シリンダー、或はその他の治具のダウンフォースを利用して上記ピンを曲げる。ここで、曲げの角度は９０°であってもよいし、その他の適当な角度であってもよい。また、曲げ工程を繰り上げて、上コイルステーターと下コイルステーターにエナメル線が巻かれてから行ってもよい。この場合、上コイルステーターと下コイルステーターのピンの曲げ方法は、上記と同じである。
【００３６】
このような設置方式により、隣接する第一先端部２１１ａと、第二先端部２２１ａとの間隔が大きくなる。これにより、隣接するピン先端部の溶接点の間隔が大きくなることとなるため、ピン先端部の溶接点の間の絶縁性能を向上させるとともに、電磁コイル装置の動作の安定性と信頼性が保障される。
【００３７】
第一先端部２１１ａと第二先端部２２１ａは、鉛直方向に一定の高さの差を有する。そして、第一先端部２１１ａ及び第二先端部２２１ａと適当な鋭角をなすように、ピン引き出し面を斜面２３１に設置する。このような設置方式は、第一先端部２１１ａと第二先端部２２１ａが、それぞれ斜面２３１から充分の長さで突き出ることを可能とし、且つ上記長さが、略同じとすることができる。それにより、溶接作業を容易とすることができる。
【００３８】
図３を参照すると、図３は、本発明の第二種の実施例で提供する電磁コイル装置の構造模式図である。
【００３９】
第一種の実施例における配線端子部２３の形状を変えて本発明の第二種の実施例が得られる。第二種の実施例のピンの曲げ方向は、第一種の実施例のピンの曲げ方向と同じであるため、その構成に関する詳細な説明は省略する。
【００４０】
第二種の実施例において、配線端子部２３のピン引き出し面は、上ステップ面２３２と、上ステップ面２３２に対して略平行である下ステップ面２３３とを含む。第一先端部２１１ａは、上ステップ面２３２と略直交し、第二先端部２２１ａは、下ステップ面２３３と略直交する。
【００４１】
第二種の実施例におけるピンの曲げ方法は、第一種の実施例におけるピンの曲げ方法と同じであるため、詳細な説明は省略する。
【００４２】
第一先端部２１１ａと第二先端部２２１ａは、それぞれ上ステップ面２３２と下ステップ面２３３と略直交する。このような設置方式は、第一先端部２１１ａと第二先端部２２１ａとを、それぞれ上ステップ面２３２および下ステップ面２３３から充分の長さで突出させることに有利である。これにより、溶接作業をさらに容易とすることができる。
【００４３】
第一先端部２１１ａと第二先端部２２１ａは、鉛直方向に一定の高さの差を有しており、それに応じて、ピン引き出し面を鉛直方向に一定の高さの差がある上ステップ面２３２と下ステップ面２３３とに設置している。第一種の実施例において設置した斜面２３１と比べると、このような設置方式は、配線端子部２３の使用材料を減らすことができるため、加工コストを削減することができる。
【００４４】
図３、図４、図５を参照すると、図４は、本発明の第二種の実施例で提供する電磁コイル装置の第一組のピンと、第二組のピンとの相対的位置の模式図である。図５は、本発明の第二種の実施例で提供する電磁コイル装置における第一組のピンと、第二組のピンとの相対的位置の上面図である。
【００４５】
第二種の実施例においては、上記各ピンのサイズが同じであり、隣接する第一内段２１２と第二内段２２２との間隔が同じ且つ同一の水平面に位置しているように更に設置する。図５に示しているように、アルファベットＴは、隣接する第一内段２１２と第二内段２２２との間隔を表している。２Ｔは、第一内段２１２における隣接する内段の間の距離、および、第二内段２２２における隣接する内段の間の距離を表す。図４或は図５に示しているように、アルファベットＬは、第一外段２１１の中心線のある平面と、第二外段２２１の中心線のある平面との間の水平間隔を表す。
【００４６】
Ｌ＜４√（３／２）Ｔの場合、第一先端部２１１ａと、第二先端部２２１ａとの間には、適当な間隔が形成される。それにより、ピン先端部の溶接点の間に良好な絶縁性能をもたらすことを保証する。
【００４７】
Ｌ＝√（３／２）Ｔの場合、図３に示しているように、隣接する第一先端部２１１ａ、第二先端部２２１ａと第一先端部２１１ａ、隣接する第二先端部２２１ａ、および第一先端部２１１ａと第二先端部２２１ａの三者の先端の間の距離は、略同じとなる。すなわち、三者の先端が、一つの略等辺三角形を形成するように配置されることとなる。この時、隣接する三つのピン先端部の溶接点の間の絶縁間隔は略同じとなるため、ピン先端部の溶接点の間において、良好な総合的な断熱性能をもたらすこととなる。
【００４８】
図６と図７を参照すると、図６は、本発明の第三種の実施例で提供する電磁コイル装置の構造模式図である。図７は、本発明の第三種の実施例で提供する電磁コイル装置の断面の模式図である。
【００４９】
第三種の実施例において、ピン引き出し面は斜面２３４であり、第一組のピン２１（図２に示されている）と、第二組のピン２２（図２に示されている）は、いずれも上向きに屈曲している。第一内段２１２（図２に示されている）と第一先端部２１１ａとの間に位置する第一腰部２１１ｂは、第一内段２１２と略直交している。そして、第一先端部２１１ａと第一腰部２１１ｂとは、適当な夾角をなしている。第二内段２２２と第二先端部２２１ａとの間に位置する第二腰部２２１ｂは、第二内段２２２と略直交している。第二先端部２２１ａと第二腰部２２１ｂとは、適当な夾角をなしている。第一先端部２１１ａと第二先端部２２１ａは、斜面２３４と略直交する。
【００５０】
上の段落で述べた第一組のピン２１と第二組のピン２２とは、いずれも上向きに曲がっているのは、図７に示している位置に放置する電磁コイル装置を参照物とした。
【００５１】
上記ステーター部品がモールドされる前においては、第三種の実施例でのピンの曲げ方法と第一種の実施例でのピンの曲げ方法とは、同じである。ステーター部品がモールドされた後に、モールドされたステーター部品を金型に放置して、シリンダー或はその他の治具のダウンフォースを利用して、第一先端部２１１ａおよび第二先端部２２１ａを適当な角度に曲げる。ここで、第一先端部２１１ａと第二先端部２２１ａとが、斜面２３４と略直交するように行う。
【００５２】
第一種の実施例においては、第一先端部２１１ａおよび第二先端部２２１ａは、斜面２３１と適当な鋭角をなしている。上記した設置方式に対して、第三種の実施例においては、第一先端部２１１ａおよび第二先端部２２１ａが、斜面２３４と略直交するように更に設置している。この種の設置方法においては、第一先端部２１１ａ及び第二先端部２２１ａが、斜面２３４から通り抜けるのにさらに有利である。それにより、ピン先端部の溶接点の間に良好な絶縁性能をもたらすことを保証するとともに、溶接の作業も容易とすることができる。
【００５３】
図８を参照すると、図８は、本発明の第四種の実施例で提供する電磁コイル装置の構造模式図である。
【００５４】
第四種の実施例において、第一組のピン２１（図２に示されている）および第二組のピン２２（図２に示されている）のうち、一組は上向きに屈曲しており、その他の一組は下向きに屈曲している。第一外段２１１の中心線のある平面と、第二外段２２１の中心線のある平面とは、略平行であり、且つ適当な鉛直方向の間隔を有する。第一先端部２１１ａと第二先端部２２１ａは、配線端子部２３（図１０に示されている）のピン引き出し面と略直交する。
【００５５】
上の段落で述べた一組は上向きに屈曲しており、その他の一組は下向きに屈曲しているのは、図８に示している位置に放置する電磁コイル装置を参照物とした。
【００５６】
本実施例でのピンの曲げ方法は、上コイルステーターと下コイルステーターにエナメル線を巻いてから、ピン曲げ金型に放置し、金型のダイはシリンダーのダウンフォースを利用して上コイルステーターと下コイルステーターのピンを曲げる。上コイルステーターと下コイルステーターのピンの曲げ形状は同じとし、且つ二回曲げる必要がある。曲げ工程を繰り下げてステーター部品の組み立ての後に行い、一組を上向きに曲げて、その他の一組は下向きに曲げることにしてもよい。
【００５７】
第四種の実施例においては、上記ピンの一組は上向きに屈曲し、その他の一組は下向きに屈曲している。ここで、上記ピンのいずれも上向きに曲げる場合と比較すると、隣接する第一先端部２１１ａと第二先端部２２１ａとの間の間隔をより大きくすることができる。すなわち、隣接するピン先端部の溶接点の間隔をより大きくすることが可能となるため、さらに効果的にピン先端部の溶接点の間の絶縁性能を向上させることができる。したがって、電磁コイル装置の動作の安定性と信頼性が保証される。
【００５８】
上記第四種の実施例を基礎として、更に上記の各ピンのサイズを同じとし、隣接する第一末端部２１２ｂと第二末端部２２２ｂとの間隔を同じ且つ同一の水平面に位置するように設置することができる。図８に示すように、アルファベットＴは、隣接する第一末端部２１２ｂと第二末端部２２２ｂとの間隔を表しており、２Ｔは、第一末端部２１２ｂにおける隣接する末端部の間の距離、および第二末端部２２２ｂにおける隣接する末端部の間の距離を表している。アルファベットＨは、第一外段２１１の中心線のある平面と、第二外段２２１の中心線のある平面との間の鉛直方向距離を表す。
【００５９】
Ｈ＜４√３Ｔの場合、第一先端部２１１ａと第二先端部２２１ａとの間には、適当な間隔が形成されるため、ピン先端部の溶接点の間に良好な絶縁性能をもたらすことを保証する。
【００６０】
Ｈ＝√３Ｔの場合、図８に示すように、隣接する第一先端部２１１ａ、第二先端部２２１ａと第一先端部２１１ａ、隣接する第二先端部２２１ａ、および第一先端部２１１aと第二先端部２２１aの三者の先端の間の距離は、略同じとなる。すなわち、三者の先端が、一つの略等辺三角形を形成するように配置されることとなる。この時、隣接する三つのピン先端部の溶接点の間の絶縁間隔は略同じとなるため、ピン先端部の溶接点の間において、良好な総合的な絶縁性能をもたらすこととなる。
【００６１】
図３或は図６に示すように、第一先端部２１１ａと第二先端部２２１ａは、更に、電気回路基板２４を介してケーブルリード２５と接続することができる。配線端子部２３は、ケーブルリード２５を収容するための線状溝２３５を更に有することができる。線状溝２３５の数は、ケーブルリード２５の数と同じであり、且つ一本のケーブルリード２５は、一個の線状溝２３５の中に位置している。それにより、一方でケーブルリード２５を固定する役割を果たし、もう一方ではケーブルリード２５を隔離する役割を果たす。従って、ケーブルリード２５間の絶縁性能をさらに向上させることができる。
【００６２】
図３或は図６に示すように、電気回路基板２４は、それぞれ上記ピンの数と等しいピン孔２４１と、ラインコア孔２４２を更に有することができる。ピン孔２４１とラインコア孔２４２は、ペアで近接設置され、導電性材料により連接されている。上記導電性材料は、具体的に導電性銅箔により構成することができる。第一先端部２１１ａと第二先端部２２１ａは、ピン孔２４１から突出し、ケーブルリード先端部２５１は、ラインコア孔２４２から突出している。第一先端部２１１ａ及び第二先端部２２１ａは、溶接材料によりケーブルリード先端部２５１と溶接されている。この溶接材料は、具体的に半田によって構成することができる。
【００６３】
ここで、上記のように、第一先端部２１１ａと第二先端部２２１ａは、ピン孔２４１から突出し、且つケーブルリードヘッド２５１は、ピン孔２４１から突出し、且つピン孔２４１とラインコア孔２４２は、近接設置されている。したがって、第一先端部２１１ａと第二先端部２２１ａは、それぞれケーブルリードヘッド２５１と近接することとなる。これにより、溶接の作業をより容易とすることができ、且つ溶接の品質を向上することができる。
【００６４】
図３或は図６で示すように、符号Ｓは、上記ピン孔と上記ラインコア孔の中心間隔を表す。
【００６５】
Ｓが、ピン孔２４１とラインコア孔２４２の直径の和の０．５倍より大きく、且つピン孔２４１とラインコア孔２４２の直径の和の５倍より小さい場合、ピン孔２４１とラインコア孔２４２の間には、適当な中心間隔が形成される。それにより、第一先端部２１１ａ及び第二先端部２２１ａは、ケーブルリード先端部２５１と直接に半田付けの半田により接続されるため、確実に導通することが保証される。
【００６６】
図９と図１０を参照すると、図９は、本発明の第二種の実施例で提供する電磁コイル装置のカバーの取付模式図である。図１０は、本発明の第四種の実施例で提供する電磁コイル装置のカバーの取付模式図である。
【００６７】
電磁コイル装置は、突起した位置決め部２６１を有するカバー２６を更に含む。また、配線端子部２３は、突起した位置決め部２６１と嵌合する位置決め溝２３６を有する。突起した位置決め部２６１は、位置決め溝２３６と嵌合し、樹脂材料により密封される。樹脂材料でモールドする場合、突起した位置決め部２６１と位置決め溝２３６との凸凹の嵌合は、樹脂材料の漏れの防止に有効である。
【００６８】
図２に示すように、上記電磁コイル装置のスケルトンは、上スケルトン２７１と上スケルトン２７１と分離可能な下スケルトン２７２とを含み、上スケルトン２７１と下スケルトン２７２は、構造及びサイズが同じである。従って、区別の必要がないため、取り付け作業が容易であり、且つ作業コストも削減することができる。
【００６９】
以上、本発明の提供する電磁コイル装置について詳細に説明した。本文では具体的な例を挙げながら本発明の原理及び実施方式について詳しく述べたが、以上の実施例の説明は、本発明の方法及びコア思想をよりよく理解させることに用いるのみである。指摘すべきこととして、当業者にとって、本発明の原理を背離していない前提で、本発明に対して若干の修正及び変更を行うことができるが、これらの修正および変更も本発明の特許請求の範囲の保護範囲に入る。
【符号の説明】
【００７０】
１１  ピン、１１１ピン先端部、１２  配線端子部、１２１  ピン引き出し面、１３，２７１  上スケルトン、１４，２７２  下スケルトン、１５，２５  ケーブルリード、１５１，２５１  ケーブルリード先端部、１６  電気回路基板、１６１，２４２  ラインコア孔、１６２，２４１  ピン孔、２１  第一組のピン、２１１  第一外段、２１１ａ  第一先端部、２１１ｂ  第一腰部、２１２  第一内段、２１２ｂ  第一末端部、２２  第二組のピン、２２１  第二外段、２２１ａ  第二先端部、２２１ｂ  第二腰部、２２２  第二内段、２２２ｂ  第二末端部、２３  配線端子部、２３１，２３４  斜面、２３２  上ステップ面、２３３  下ステップ面、２３５  線状溝、２３６  位置決め溝、２４  電気回路基板、２５  ケーブルリード、２６  カバー、２６１  位置決め部、２８１  上電磁極板、２８２  下電磁極板、２９１  下の外殻、２９２  上の外殻。
【図１】
2010279244.tif 000004
【図２】
2010279244.tif 000005
【図３】
2010279244.tif 000006
【図４】
2010279244.tif 000007
【図５】
2010279244.tif 000008
【図６】
2010279244.tif 000009
【図７】
2010279244.tif 000010
【図８】
2010279244.tif 000011
【図９】
2010279244.tif 000012
【図１０】
2010279244.tif 000013